(57)【要約】【課題】設置や撤去が容易であると共に、施設の利用者へのアピール度が高い店舗構造を提供する。【解決手段】店舗１０は、施設の駐車場Ｐに設置された建物１１の前面１１Ｆに出入り口１３を備えたものである。この建物１１の前面１１Ｆにおける前側壁面１１１の全部に、店舗１０の名称、営業時間、連絡先を示す電話番号などが表示された広告部１８が設けられている。建物１１の前面１１Ｆにおける前側壁面１１１の全部に広告部１８が設けられているため、自動車で訪れた施設の利用者は、大きく表示された広告部１８を見て、ひと目で、どのような営業を行っている店舗かを把握することができる。また、前側壁面１１１を利用しているため、建物１１を設置するだけで看板の代わりとなるものが設置できるので、新たに大きな立て看板を設置する必要が無い。【選択図】図１
2018104905.tif 000002
【特許請求の範囲】
【請求項１】
施設の駐車場に設置された建物の前面に出入り口を備えた店舗の構造において、
前記建物の前面における前側壁面の全部に広告部が設けられた店舗構造。
【請求項２】
前記建物は、平面視矩形状に形成され、
前記出入り口は、前記建物の一方の端部に形成され、
前記広告部は、前記出入り口以外の前記前面の残余の前側壁面に形成された請求項１記載の店舗構造。
【請求項３】
前記広告部は、印刷されたシートにより形成され、
前記シートの壁面側には、粘着材が塗布された請求項１記載の店舗構造。
【請求項４】
前記前側壁面は、前記広告部が貼り付けられる接着面側が、平滑面により形成された請求項３記載の店舗構造。
【請求項５】
前記前側壁面は、室内側に位置する壁本体と、前記壁本体より外側に位置し、基板を両面側から金属板により挟み込んだ複合板とを備えた請求項４記載の店舗構造。
【請求項６】
前記基板は、発泡体により形成され、
前記金属板は、アルミ板により形成された請求項５記載の店舗構造。
【請求項７】
前記出入り口の上方には、庇部が前記広告部より高い位置に設けられた請求項１から６のいずれかの項に記載の店舗構造。
【請求項８】
前記広告部の前面に紫外線遮光フィルムが設けられた請求項１から７のいずれかの項に記載の店舗構造。
【発明の詳細な説明】
【技術分野】
【０００１】
本発明は、施設の駐車場に設置される店舗構造に関するものである。
【背景技術】
【０００２】
博物館、美術館、図書館、劇場などの文化施設、競馬、競輪、オートレースなどの公営競技場、野球場、体育館などの運動競技場、役所などの公共施設の他、特に、ショッピングモールや量販店などの商業施設には多くの利用者が来場する。施設には徒歩で来る人もいるが、大型商業施設は、繁華街より郊外に設置されることが多いこともあり、広い駐車場を備えているため、自動車で訪れる人が多い。
【０００３】
そこで、施設に訪れる利用者を見込み客として、広い駐車場を利用して、店舗を設置することが、特許文献１に記載されている。
特許文献１に記載の「駐車場設置営業型、移動店舗及び屋台」には、駐車場に移動店舗、屋台を設置することで、警察の「道路使用許可」に係わる制約がなく、駐車場の貸主の許可を得られれば、設置場所、営業場所は自由に選択でき、移動店舗及び屋台の広さについても限定されない上に、営業場所と保管場所が同一となるため、移動店舗及び屋台の移動の必要もないことが記載されている。
【先行技術文献】
【特許文献】
【０００４】
【特許文献１】実開平５−１７００９号公報
【発明の概要】
【発明が解決しようとする課題】
【０００５】
しかし、施設の駐車場に店舗を設置しただけでは、施設の利用者は何の店舗か分かり難い。通常、店舗には、その店舗の名称や営業内容を示す看板が、屋根上や、店舗の横に設置されるが、大きな看板を屋根上や店舗の横に設置したのでは、店舗設置時の看板の設置や、店舗を移動するときの看板の撤去が大変である。
【０００６】
そこで本発明は、設置や撤去が容易であると共に、施設の利用者へのアピール度が高い店舗構造を提供することを目的とする。
【課題を解決するための手段】
【０００７】
本発明は、施設の駐車場に設置された建物の前面に出入り口を備えた店舗の構造において、前記建物の前面における前側壁面の全部に広告部が設けられたことを特徴とする。
【０００８】
本発明の店舗構造によれば、建物の前面における前側壁面の全部に広告部が設けられているため、自動車で訪れた施設の利用者は、大きく表示された広告部を見て、ひと目で、どのような営業を行っている店舗かを把握することができる。また、前側壁面を利用しているため、建物を設置するだけで看板の代わりとなるものが設置できるので、新たに大きな立て看板を設置する必要が無い。
【０００９】
前記建物が、平面視矩形状に形成され、前記出入り口が、前記建物の一方の端部に形成され、前記広告部が、前記出入り口以外の前記前面の残余の前側壁面に形成されていると、建物の一方の端部に寄った出入り口以外の前面全部を広告部とすることができるため、広告部の面積を幅広く確保することができる。
【００１０】
前記広告部が印刷されたシートにより形成され、前記シートの壁面側に、粘着材が塗布されていると、広告部を簡単に前側壁面に設けることができると共に、広告部を付け替えるときにも容易に貼り替えることができる。
【００１１】
前記前側壁面の前記広告部が貼り付けられる接着面側が、平滑面により形成されていると、広告部を形成するシートを隙間なく密着させた状態で前側壁面に貼り付けることができるため、広告部を前側壁面から剥がれ難くすることができる。
【００１２】
前記前側壁面を、室内側に位置する壁本体と、前記壁本体より外側に位置し、基板を両面側から金属板により挟み込んだ複合板とを備えたものとすると、壁本体に、複合板の一方の金属板を密着した状態で貼り付けることができると共に、広告部を、複合板の他方の金属板に密着した状態で貼り付けることができる。
【００１３】
前記基板が、発泡体により形成され、前記金属板が、アルミ板により形成されていると、前側壁面の軽量化を図ることができる。
【００１４】
前記出入り口の上方には、庇部が前記広告部より高い位置に設けられていると、庇部が広告部への視界の邪魔にならない。
【００１５】
前記広告部の前面に紫外線遮光フィルムが設けられていると、広告部に紫外線が到達しないため、紫外線による劣化から広告部を保護することができる。
【発明の効果】
【００１６】
本発明の店舗構造は、大きく表示された広告部を見て、ひと目で、どのような営業を行っている店舗かを把握することができ、また、新たに大きな立て看板を設置する必要が無いため、設置や撤去が容易であると共に、施設の利用者へのアピール度を向上させることができる。
【図面の簡単な説明】
【００１７】
【図１】本発明の実施の形態に係る店舗構造を説明するための店舗の斜視図である。
【図２】図１に示す店舗の正面図である。
【図３】図１に示す店舗の右側面図である。
【図４】図１に示す店舗の左側面図である。
【図５】図１に示す店舗の室内を説明するための図である。
【図６】図１に示す店舗における建物の前側壁面の断面図である。
【発明を実施するための形態】
【００１８】
本発明の実施の形態に係る店舗構造を図面に基づいて説明する。
図１から図４に示す店舗１０は、商業施設の駐車場Ｐに設置され、整骨院として運営されるものである。
店舗１０は、平面視矩形状の建物１１が、矩形状の躯体１２に立設されたものである。
建物１１は、前側壁面１１１と右側壁面１１２と左側壁面１１３と後側壁面１１４（図５参照）とが、角部１１５と、右側壁面１１２および左側壁面１１３の幅方向の中央とに配置された柱１１６によって支持され、強度の向上が図られている。
【００１９】
建物１１の前面１１Ｆの一方の端部には、出入り口１３が形成されている。本実施の形態では、出入り口１３が前面１１Ｆの右端部に形成されている。
出入り口１３に対応する躯体１２部分には、躯体１２と一体的に形成された階段部１２ａが設けられている。
【００２０】
出入り口１３の上方に位置する屋根には、前方に向かって突出した庇部１４が設けられている。庇部１４の先端上部には、整骨院の名称が表示された看板１５が設けられている。
建物１１の右側面である右側壁面１１２には、採光のためのはめ殺しの窓１１７が４枚配置されている。また、建物１１の左側面である左側壁面１１３には、右側面１１２と同様に、採光のためのはめ殺しの窓１１７が４枚配置されている。
【００２１】
建物１１における前面１１Ｆの長さ方向の横幅Ｗ（図２参照）は、駐車場が区画された車両１台分の横幅の倍数に形成されている。本実施の形態では、建物１１が４台分の区画の幅に形成されている。
図５に示すように、建物１１の内部は、受付部１６と、患者に施術する施術部１７とに区画されている。
受付部１６は、前側壁面１１１に沿って並べられ、患者が施術を座って待つための椅子１６ａと、患者のカルテが収納された棚１６ｂと、スタッフが患者を受け付けるための机１６ｃとが配置されている。
施術部１７には、４台のベッド１７ａが並べられ、パーティション１７ｂにより仕切られている。また、施術部１７には、施術に必要な機材が設置されている。
【００２２】
図１および図２に示すように、この建物１１の前面１１Ｆにおいては、出入り口１３以外の前面１１Ｆの残余の前側壁面１１１に広告部１８が設けられている。
この広告部１８には、店舗１０の名称、営業時間、連絡先を示す電話番号などが表示されている。
【００２３】
ここで、広告部１８が形成された前側壁面１１１について、図６に基づいて詳細に説明する。
図６に示すように、前側壁面１１１は、室内側に位置する壁本体１１１ａと、壁本体１１１ａより外側に位置するアルミ複合板１１１ｂとを備えている。
壁本体１１１ａは、合板により形成されている。
アルミ複合板１１１ｂは、発泡体の一例である低発泡ポリエチレンシート（基板）を両面側から２枚のアルミ板（金属板）で挟み込んだ複合板である。アルミ複合板１１１ｂは、外側面がアルミ板となることで、壁本体１１１ａを平滑面とするものである。
壁本体１１１ａと、アルミ複合板１１１ｂとは、両面テープまたは接着材、例えば、シリコンボンドなどによる接着層１１１ｃにより貼り合わされる。
【００２４】
前側壁面１１１には、広告部１８として機能する広告シート１８ａが設けられている。広告シート１８ａは、塩化ビニール製のシートに広告内容が印刷されて形成されている。広告シート１８ａには、紫外線による劣化から保護する保護シートとして機能する紫外線遮光フィルム１９が設けられている。
【００２５】
以上のように構成された本発明の実施の形態に係る店舗１０によれば、建物１１の前面１１Ｆにおける前側壁面１１１の全部に広告部１８が設けられている。そのため、自動車で訪れた施設の利用者は、前面１１Ｆに大きく表示された広告部１８を見て、ひと目で、店舗１０が整骨院であることを把握することができる。また、前側壁面１１１を利用しているため、建物１１を設置するだけで看板の代わりとなるものが設置できるので、店舗１０に隣接して新たに大きな立て看板を設置する必要が無い。
【００２６】
このように店舗１０は、大きく表示された広告部１８により、どのような営業を行っている店舗かを把握することができ、また、新たに大きな立て看板を設置する必要が無いため、設置や撤去が容易であると共に、施設の利用者へのアピール度を向上させることができる。
【００２７】
建物１１が、平面視矩形状に形成され、出入り口１３が、建物１１の右端部に形成され、広告部１８が、出入り口１３以外の前面１１Ｆの残余の前側壁面１１１に形成されているため、建物１１の出入り口１３以外の前面１１Ｆ全部を広告部１８とすることができる。従って、広告部１８の面積を幅広く確保することができる。
【００２８】
広告部１８は、印刷されたシートにより形成され、シートの壁面側には、粘着材が塗布されているため、広告部１８を簡単に前側壁面１１１に設けることができる。更に、広告部１８を付け替えるときにも、前側壁面１１１から広告部１８を引き剥がして、新たな広告部１８を容易に貼り替えることができる。
【００２９】
前側壁面１１１は、広告部１８が貼り付けられる接着面側が、金属板（アルミ板）による平滑面により形成されているため、広告部１８を形成するシートを隙間なく密着させた状態で貼り付けることができる。そのため、広告部１８を前側壁面１１１から剥がれ難くすることができる。
【００３０】
前側壁面１１１は、壁本体１１１ａと、低発泡ポリエチレンシートを両面側からアルミ板により挟み込んだアルミ複合板１１１ｂとを備えたものとしているため、壁本体１１１ａに、アルミ複合板１１１ｂの内側のアルミ板を密着した状態で貼り付けることができると共に、広告部１８を、アルミ複合板１１１ｂの外側のアルミ板に密着した状態で貼り付けることができる。
【００３１】
アルミ複合板１１１ｂの基板が、発泡体の一例である低発泡ポリエチレンシートにより形成され、金属板がアルミ板により形成されているやめ、基板を木材や金属板で作製したり、金属板を鉄板や鋼板としたりするより、前側壁面１１１ｂの軽量化を図ることができる。
【００３２】
庇部１４が、広告部１８より高い位置に配置されているため、建物１１の前方に位置する利用者が前面１１Ｆをどの方向から見ても、庇部１４が広告部１８への視界の邪魔にならない。従って、広告部１８への視界を広く確保することができる。
【００３３】
広告部１８の前面に紫外線遮光フィルム１９が設けられているため、広告部１８に紫外線が到達しない。従って、紫外線により色褪せたり、ひび割れが発生したりするような劣化から広告部１８を保護することができる。
【００３４】
なお、本実施の形態に係る店舗１０は、壁面（前側壁面１１１）の壁本体１１１ａが合板により形成されていたが、例えば、建物として金属製のコンテナを利用することで、壁本体を鋼板としてもよい。コンテナの壁面は、縦方向または横方向に溝が形成された凹凸面となっているが、コンテナの壁面の外側に、アルミ複合板１１１ｂを設けることで、広告部１８を貼り付けるための平坦面とすることができる。
【００３５】
また、本実施の形態に係る店舗１０では、整骨院としているが、マッサージサロンやエステティックサロン、美理容室などの他、不動産業、コンビニエンスストア、菓子販売、飲食店など、接客する店舗であれば、様々な業種の店舗とすることができる。
【産業上の利用可能性】
【００３６】
本発明の店舗構造は、博物館、美術館、図書館、劇場などの文化施設、競馬、競輪、オートレースなどの公営競技場、野球場、体育館などの運動競技場、役所などの公共施設、ショッピングモールや量販店などの商業施設の駐車場への設置に好適である。
【符号の説明】
【００３７】
１０  店舗
１１  建物
１１Ｆ  前面
１１１  前側壁面
１１１ａ  壁本体
１１１ｂ  アルミ複合板
１１１ｃ  接着層
１１２  右側壁面
１１３  左側壁面
１１４  後側壁面
１１５  角部
１１６  柱
１１７  窓
１２  躯体
１２ａ  階段部
１３  出入り口
１４  庇部
１５  看板
１６  受付部
１６ａ  椅子
１６ｂ  棚
１６ｃ  机
１７  施術部
１７ａ  ベッド
１７ｂ  パーティション
１８  広告部
１８ａ  広告シート
１９  紫外線遮光フィルム
Ｐ  駐車場
Ｗ  横幅
【図１】
2018104905.tif 000003
【図２】
2018104905.tif 000004
【図３】
2018104905.tif 000005
【図４】
2018104905.tif 000006
【図５】
2018104905.tif 000007
【図６】
2018104905.tif 000008